(57)【特許請求の範囲】
【請求項１】
土捨場に投入された土砂及び濁水が前記土捨場の外側に流出するのを防止するために水底に設置する簡易式土留柵であって、
前記土捨場の外周部に沿って水底地盤に立設される支持用構造体と、表面を前記土捨場側に向けて前記支持用構造体に支持される土留用板材と、該土留用板材の表面側に配置される濁水拡散防止シートとを備え、
前記支持用構造体は、水底地盤に間隔を置いて立設される複数の縦杭と、水平方向に向けた複数の横つなぎ材とを有し、前記複数の縦杭及び横つなぎ材を格子状に組み立てて構造体本体とするとともに、該構造体本体の上端部に一端を連結し、他端を前記水底地盤に斜め方向に向けて埋設させた斜杭を備え、前記縦杭、横つなぎ材及び斜杭は、同様の棒状部材をもって構成され、該棒状部材間が連結部材により連結されるようにし、
前記土留用板材の下側部を水底地盤内に埋め込むとともに、
前記濁水拡散防止シートの上縁を前記斜杭に支持させるとともに、下縁を前記土留用板材に支持させて前記土留用板材の表面側から斜め前方に向けて張設させ、前記濁水拡散防止シートを水面の上下側に亘って展開させたことを特徴としてなる簡易式土留柵。
【請求項２】
前記構造体本体の表面側に土留用板材を固定して土留柵用ユニットとなし、互いに隣り合う前記土留柵用ユニット側縁部間を連結して前記土捨場の外周に沿って立設させることにより形成されるようにしてなる請求項１に記載の簡易式土留柵。
【発明の詳細な説明】
【技術分野】
【０００１】
本発明は、浚渫土砂等の土砂処分場に設定された土捨場外に土砂及び濁水が流出するのを防止することができる簡易式土留柵に関する。
【背景技術】
【０００２】
従来、ポンプ浚渫等により浚渫された土砂は、周囲の水とともに排砂管を通して土砂処分場にポンプ排送され、土砂処分場内に設けられた土捨場に吐出される。
【０００３】
この吐出された浚渫土砂１０１は、水とともに流されながら吐出方向の手前側から沈降して土捨場Ａの水底Ｂに堆積してゆき、設計上では図１８中に示す如く表面が緩やかな勾配をなし、投入された土砂１０１は勾配の裾野部までで留まるようになっている。
【０００４】
従って、このような土捨て場Ａでは、土捨場として設定された区域（以下、土捨場区域という。）が今後拡張される計画がある等の事情がある場合に、現存の土捨場区域の外周部に仕切り用の堤を設けず、前記勾配裾野部の外側部に汚濁防止膜１０２，１０２（例えば、特許文献１を参照）を二重に張り巡らせて濁水の拡散のみを防止するようにしている。
【先行技術文献】
【特許文献】
【０００５】
【特許文献１】特開２００２−３０９５６４号公報
【発明の概要】
【発明が解決しようとする課題】
【０００６】
しかしながら上述した如き従来の技術では、排砂管より吐出された実際の土砂が図に示した設計上の勾配を形成せず、一部の土砂が浮泥土として沖側へ流されて土捨場区域より外側に流出するおそれがあり、一方、汚濁防止膜には土砂を遮蔽する機能はなく、土捨場区域の外側に土砂が流出するのを防止することができないという問題があった。また、汚濁防止膜に土砂が堆積してその重みにより汚濁防止膜が水面より下側に沈み込んでしまい、濁水の拡散を防止する機能が損なわれてしまうおそれがあった。
【０００７】
一方、このような汚濁防止膜は、水中に浮遊した状態で設置されるので、台風や時化の際に波浪や水流の影響を受けて所定の設置位置から流されてしまうおそれがあった。
【０００８】
また、このような汚濁防止膜は、高価であるため、長期間に渡って使用する場合、その賃料や管理費又は設置費用等が嵩み、特に二重構造で使用する場合にはその費用が倍となるので経済的に問題があった。
【０００９】
本発明は、このような従来の問題に鑑み、土捨場の外に土砂及び濁水が流出するのを防止することができるとともに安価で且つ短期に施工可能な簡易式土留柵の提供を目的としてなされたものである。
【課題を解決するための手段】
【００１０】
上述の如き従来の問題を解決し、所期の目的を達成するための請求項1に記載の発明の特徴は、土捨場に投入された土砂及び濁水が前記土捨場の外側に流出するのを防止するために水底に設置する簡易式土留柵であって、前記土捨場の外周部に沿って水底地盤に立設される支持用構造体と、表面を前記土捨場側に向けて前記支持用構造体に支持される土留用板材と、該土留用板材の表面側に配置される濁水拡散防止シートとを備え、前記支持用構造体は、水底地盤に間隔を置いて立設される複数の縦杭と、水平方向に向けた複数の横つなぎ材とを有し、前記複数の縦杭及び横つなぎ材を格子状に組み立てて構造体本体とするとともに、該構造体本体の上端部に一端を連結し、他端を前記水底地盤に斜め方向に向けて埋設させた斜杭を備え、前記縦杭、横つなぎ材及び斜杭は、同様の棒状部材をもって構成され、該棒状部材間が連結部材により連結されるようにし、前記土留用板材の下側部を水底地盤内に埋め込むとともに、前記濁水拡散防止シートの上縁を前記斜杭に支持させるとともに、下縁を前記土留用板材に支持させて前記土留用板材の表面側から斜め前方に向けて張設させ、前記濁水拡散防止シートを水面の上下側に亘って展開させた簡易式土留柵にある。
【００１１】
請求項２に記載の発明の特徴は、請求項１の構成に加え、前記構造体本体の表面側に土留用板材を固定して土留柵用ユニットとなし、互いに隣り合う前記土留柵用ユニット側縁部間を連結して前記土捨場の外周に沿って立設させることにより形成されるようにしてなることにある。
【発明の効果】
【００１２】
本発明に係る簡易式土留柵は、上述したように、土捨場に投入された土砂及び濁水が前記土捨場の外側に流出するのを防止するために水底に設置する簡易式土留柵であって、前記土捨場の外周部に沿って水底地盤に立設される支持用構造体と、表面を前記土捨場側に向けて前記支持用構造体に支持される土留用板材と、該土留用板材の表面側に配置される濁水拡散防止シートとを備え、前記土留用板材の下側部を水底地盤内に埋め込むとともに、前記濁水拡散防止シートを水面の上下側に亘って展開させたことにより、簡易な構造で土捨場区域より外側に土砂や濁水が流出するのを防止することができ、また、高価な汚濁防止膜等を使用せずともよいのでコストの低減を図ることができる。
【００１３】
また本発明において、前記支持用構造体は、水底地盤に間隔を置いて立設される複数の縦杭と、水平方向に向けた複数の横つなぎ材とを有し、前記複数の縦杭及び横つなぎ材を格子状に組み立てて構造体本体とするとともに、該構造体本体の上端部に一端を連結し、他端を前記水底地盤に斜め方向に向けて埋設させた斜杭を備え、前記縦杭、横つなぎ材及び斜杭は、同様の棒状部材をもって構成され、該棒状部材間が連結部材により連結されるようにしたことにより、構造が簡素化され、人力によっても容易に組立て及び解体をすることができる。
【００１４】
更に本発明において、前記濁水拡散防止シートは、樹脂製繊維からなる不織布に樹脂製繊維からなる縦糸材及び横糸材を編み込んでなるシートであることにより、濁水に対するフィルター的機能を発揮するとともに、高い耐候性、引張強度及び伸び率が得られ、波浪による圧力や漂流物の接触等に対して破損し難くなる。
【００１５】
更にまた本発明において、前記濁水拡散防止シートは、上縁を前記斜杭に支持させるとともに、下縁を前記土留用板材に支持させて前記土留用板材の表面より斜め前方に向けて張設させたことにより、波浪による圧力や漂流物の接触等が生じても、濁水拡散防止シートが土留用板材に直接接触することがなく、接触による破損を防止できる。
【００１６】
また、本発明において、前記構造体本体の表面側に土留用板材を固定して土留柵用ユニットとなし、互いに隣り合う前記土留柵用ユニット側縁部間を連結して前記土捨場の外周に沿って立設させることにより形成されるようにしたことにより、現場での工期を短縮することができ、作業効率の向上及び工費の低減を図ることができる。
【図面の簡単な説明】
【００１７】
【図１】本発明に係る簡易式土留柵の使用状態の概略を示す縦断面図である。
【図２】図１中の簡易式土留柵の一例を示す部分破断正面図である。
【図３】同上の縦断面図である。
【図４】同上の平面図である。
【図５】土留用板材の取付け状態を示す平面図である。
【図６】同上の正面図である。
【図７】同上の縦断面図である。
【図８】図２中の濁水拡散防止シートを示す正面図である。
【図９】（ａ）は同上の濁水拡散防止シートの上縁部を示す断面図、（ｂ）は同濁水拡散防止シートの取り付け状態を示す断面図である。
【図１０】本発明に係る簡易式土留柵を使用した際の土砂の堆積状況の一例を示す断面図である。
【図１１】本発明に係る簡易式土留柵の設置方法の縦杭設置工程の概略を示す正面図である。
【図１２】同上の横つなぎ材設置工程の概略を示す正面図である。
【図１３】図１２中の横つなぎ材取付用治具の使用状態を示す側面図である。
【図１４】本発明に係る簡易式土留柵の設置方法の土留用板材設置工程の概略を示す正面図である。
【図１５】同上の筋交い設置工程の概略を示す正面図である。
【図１６】同上の斜杭設置工程の概略を示す縦断面図である。
【図１７】同上の濁水拡散防止シート設置工程の概略を示す部分拡大側面図である。
【図１８】（ａ）は土留柵用ユニット間の連結手段の一例を示す平面図、（ｂ）は同他の一例を示す平面図である。
【図１９】従来の土捨場区域における土砂の堆積状態を示す断面図である。
【発明を実施するための形態】
【００１８】
次に、本発明に係る簡易式土留柵１の実施の態様を図１〜図１０に示した実施例に基づいて説明する。尚、図中符号Ａは土砂処分場に設けられた土捨場、符合Ｂは軟弱粘性土からなる水底地盤である。
【００１９】
この土捨場Ａは、例えば、潮受堤防内側の土砂処分場に設けられ、遠浅な地形で潮位変動の影響も少ないものとなっている。
【００２０】
また、この土捨場Ａには、排砂管Ｃを通して浚渫土砂等の土砂が水と共にポンプ排送され、排砂管Ｃの吐出口より当該土砂が沖側に向けて水と共に吐出されるようになっている。
【００２１】
簡易式土留柵１は、上述の如き土捨場Ａとして設定された区域（以下、土捨場区域という。）の外周部に設けられ、土捨場Ａ内に投入された土砂及び濁水が土捨場区域の外側に流出することを防止するようになっている。
【００２２】
この簡易式土留柵１では、土捨場区域の外周に沿って水底地盤Ｂに立設された支持用構造体２に土留用板材３を支持させて土砂の土留めをなしている。
【００２３】
支持用構造体２は、縦杭４及び横つなぎ材５をもって水底地盤Ｂ上に露出した部分が格子状に形成された構造体本体６と、構造体本体６を支持するための斜杭７とを備えている。
【００２４】
また、構造体本体６の裏側には、同様の棒状部材からなる筋交い８が斜め方向に向けて掛け渡され、構造体本体６が補強されている。
【００２５】
この縦杭４、横つなぎ材５、斜杭７及び筋交い８は、それぞれ長さの異なる同様の棒状部材により構成され、支持用構造体２は、棒状部材間を図示しないクランプ等の連結部材で連結することにより組立てることができるようになっている。
【００２６】
尚、この棒状部材は、一般構造用鋼管等の軽量で且つ汎用性の高い部材を以て構成されており、また、溶融亜鉛メッキ等により防食加工を施されている。
【００２７】
各縦杭４は、土捨場区域の外周に沿って間隔をおいて設置され、長さ方向を上下（垂直）方向に向けて下側部分を深く水底地盤Ｂに埋設させることにより、上部が水底地盤Ｂより上向きに突出した状態に立設されている。
【００２８】
各横つなぎ材５は、各縦杭４，４...の表側、即ち土捨場側に上下に間隔をおいて平行に配置され、各縦杭４，４...に連結部材を介して固定されて縦杭４，４...とともに格子状を成している。
【００２９】
各斜杭７は、各縦杭４，４...の両側にそれぞれ前後方向に向けて配置され、各斜杭７の上端部が連結部材を介して縦杭４の上端に固定され、他端側がその長さ方向を斜めに向けて水底地盤Ｂ内に埋設されている。
【００３０】
各斜杭７，７...の水底地盤Ｂ内に埋設された部分には、斜杭７と交差する配置に根がらみ９が固定されており、斜杭７の位置が水底地盤Ｂ内に安定した状態で維持されるようになっている。
【００３１】
土留用板材３は、断面が波形状に形成された波板をもって構成され、表面を土捨場Ａ側に向けるとともに波形状断面を上下方向に向け、下側部を水底地盤Ｂに埋設させている。このように下側部を地盤内に埋設させたことにより、波浪による洗掘の影響を防止し、土砂が好適に土留めされるようにしている。
【００３２】
また、この土留用板材３は、下側部を所定の深さまで埋設させた際に上縁が水面下に位置するように形成され、土留用板材３により水底に堆積する土砂を土捨場区域外に流出させないようにする一方、土捨場区域の内外側の水の流れを阻害しないようになっている。
【００３３】
この土留用板材３は、図５〜図７に示すように、横つなぎ材５と棒状部材からなる押さえ部材１０との間に挟持されるとともに、Ｊ形に形成されたボルト等の固定具１１により横つなぎ材５に固定させたことにより支持用構造体２に支持されている。
【００３４】
横つなぎ材５及び押さえ部材１０には、それぞれフック状部材１２が係合され、土留用板材３を貫通させて両フック状部材１２間にボルト１３を通しナット１４を締めつけることにより横つなぎ材５と押さえ部材１０とが互いに近づく方向に移動し、両部材５，１０間に配置された土留用板材３を挟持するようになっている。
【００３５】
また、この土留用板材３の表面側には、濁水拡散防止シート１５が水面の上下側に亘って展開され、濁水が土捨場区域外に流出するのを防止している。
【００３６】
濁水拡散防止シート１５は、ポリエステル糸等の樹脂製繊維からなる不織布に、高強力ポリエステル糸等の樹脂製の経糸及び横糸を編込んで補強したシートをもって構成され、高い耐候性、引張強度及び伸び率を有し、且つ濁水に対してフィルター的機能を発揮するようになっている。
【００３７】
この濁水拡散防止シート１５は、図８に示すように、外縁部を布状材で覆うことにより補強されてほつれ難くなっている。また、濁水拡散防止シート１５の上縁部は、図９（ａ）に示すように、細長帯状の金属製プレート１６，１６に挟まれて補強がなされ、そこに図９（ｂ）に示すように、水平方向に間隔を置いて複数のシャックル等の取付金具１７が固定されている。
【００３８】
この取付金具１７は、鉄筋１９等に係合されるＣ字状の引掛け部１７ａと、Ｃ字状の開口縁に支持された互いに対向する一対の挟持片１７ｂ、１７ｂとを備えており、シート１５の上縁部及び金属製プレート１６，１６を両挟持片１７ｂ、１７ｂ間に挟み込み、シート１５、金属製プレート１６，１６及び挟持片１７ｂ，１７ｂに形成された貫通孔にピン１７ｃを貫通させることによりシート上縁部に固定させている。
【００３９】
一方、この濁水拡散防止シート１５の下縁部には、横方向に間隔を置いて固定用紐１８の一端が縫い付けられている。
【００４０】
このような濁水拡散防止シート１５は、各取付金具１７，１７...を各斜杭７と交差する方向に架け渡された鉄筋１９に連結させるとともに、固定用紐１８の他端を押さえ部材１０に結び付けることにより、水面の上下側に亘って展開され、且つ土留用板材３の表面部より斜め前方に傾けて張設されている。
【００４１】
従って、この濁水拡散防止シート１５は、波浪や潮位変動により圧力が作用したり漂流物が接触したりしても土留用板材３に対して直接接しないようになっており、シート１５と土留用板材３とが接触することにより生じる破損を防止できるようになっている。
【００４２】
このように土捨場区域の外周部に簡易式土留柵１を設置したことにより、図１０に示すように、土捨場Ａに投入された浮泥状の土砂Ｄが土留柵１に遮られて土捨場Ａ内に堆積し、土捨場区域外への流出が防止される。また、濁水については濁水拡散防止シート１５がフィルター的機能を発揮して濁水が土捨て場区域外に流出するのを防止している。
【００４３】
一方、この簡易式土留柵１は、各土留用板材３，３...を軽量な棒状部材を組み合わせて形成された支持用構造体２に支持させたことにより、安価且つ短期で設置することができる一方、高い強度を有している。
次に、上述した簡易式土留柵１の設置方法について図１１〜図１７に示す実施例について説明する。
【００４４】
まず、図１１に示すように、縦杭４を水底地盤Ｂに対しその長さ方向を上下方向に向けて配置し、木槌等によりその上端を打撃する若しくは圧力をかけて圧入することにより所定の深さまで打込み、上端側を水底面より突出させた状態に立設させる。この作業を土捨場区域の外周に沿って所定の間隔を置いて行う。
【００４５】
次に、間隔を置いて立設された縦杭４に上下方向に間隔を置いて横つなぎ材５を固定する。
【００４６】
尚、各横つなぎ材５は、一本ずつ順に固定してもよいが、水中での作業を考慮して図１３に示す如き横つなぎ材取付用治具２０を使用して行ってもよい。
【００４７】
この横つなぎ材取付用治具２０は、棒状の鋼材をもって一体に形成され、棒状の本体部２０ａ上端に横つなぎ材５に引掛けられる円弧状のフック部２０ｂを備えるとともに、本体部２０ａよりフック部２０ｂと同じ方向を向けて突出させた支持棒部２０ｃ、２０ｃ...とを備え、各支持棒部２０ｃは、横つなぎ材５の設置間隔に合わせて間隔を置いて配置されている。
【００４８】
この横つなぎ材取付用治具２０を用いて横つなぎ材５を設置するには、一番上の横つなぎ材５を水平レベルを調整しながら連結部材により縦杭４に固定した後、その横つなぎ材５にフック部２０ｂを引掛けて複数の横つなぎ材取付用治具２０，２０...を横つなぎ材５の長さ方向に間隔を置いて垂下させ、そして、潜水士が水中に潜り、横つなぎ材５を各治具の支持棒部２０ｃ上にセットする。
【００４９】
このようにすることより上から２番目以降の各横つなぎ材５，５...は、水中での緻密な位置合わせ作業を行わずとも、水平且つ互いに平行に配置され、その状態で各横つなぎ材５，５...を縦杭４に固定することにより、縦杭４，４...に対し各横つなぎ材５，５...を上下方向に所定の間隔をおいて平行に固定することができる。
【００５０】
以上の作業により水底上に露出した部分が格子状の骨組体本体６が形成される。
【００５１】
次に、各土留用板材３を互いに隣り合う側縁を突き合わせた状態で下向きに所定の位置まで、即ち下側部が水底地盤Ｂ内に埋め込まれるとともに上縁が水面下に位置するように挿し込む。
【００５２】
その位置でＪ形に形成されたボルト等の固定具１１により土留用板材３を横つなぎ材５に固定するとともに、押さえ部材１０を土留用板材３の表面部にあてがい、フック状部材１２，１２を通してボルト１３を土留用板材３に貫通させ且つナット１４を締め込むことにより横つなぎ材５と押さえ部材１０との間に土留用板材３を挟持する。
【００５３】
そして、図１５に示すように、筋交い８を構造体本体６の裏側に斜め方向に向けて掛け渡すとともに、その縦杭４と交差する部分を連結部材により縦杭４に固定して構造体本体６を補強する。
【００５４】
次に、図１６に示すように、斜杭７を水底地盤Ｂに対し斜め方向に向けて配置し、その状態でその上端を木槌等によりその上端を打撃する若しくは圧力をかけて圧入することにより地盤Ｂ内の所定の位置まで打ち込み、その位置で上端部を縦杭４の上端部に連結部材により固定する。
【００５５】
各斜杭７の打設工程が終了したら、土捨場Ａ側に向けた各斜杭７に斜杭７と交差する方向に鉄筋１９を固定する。尚、この鉄筋１９は、土留用板材３表面より水平方向土捨場Ａ側に一定の距離を隔てた位置に固定する。
【００５６】
そして、図１７に示すように、濁水拡散防止シート１５上縁部を固定用金具１７により鉄筋１９に連結させるとともに、潜水士が水中に潜り、固定紐１８の一端を押さえ部材１０に結び付けて濁水拡散防止シート１５を土留用板材３の表面側に設置する。
【００５７】
このようにすることにより濁水拡散防止シート１５は、水面の上下側に亘って展開され、且つ土留用板材３の表面部より斜め前方に傾けて張設され、これにより設置作業が完了する。
【００５８】
一方、このような簡易式土留柵は、上述した組立て作業を逆に行うことで容易に解体することも可能である。
【００５９】
尚、上述の実施例では、設置現場において全ての組立て作業を行う例について説明したが、工場において構造体本体６の表面部に土留用板材３を固定して土留柵用ユニットを予め組み立てておき、設置現場においては複数の土留柵用ユニットを互いに隣り合う側縁部間を連結した状態に土捨場の外周に沿って立設させることにより土留柵を形成するようにしてもよい。
【００６０】
各土留柵用ユニット３０，３０間の連結は、図１８（ａ）に示すように、一方の土留め柵用ユニット３０を構成する横つなぎ材５に棒状の管連結部材３１の一方の端部３１ａを嵌め込んで他方の端部３１ｂを突出させておき、その連結部材３１の端部３１ｂに他方の土留め柵ユニット３０を構成する横つなぎ材５を嵌め込むことにより連結してもよく、また、図１８（ｂ）に示すように、連結する土留柵用ユニット３０を構成する横つなぎ材５，５間に棒状部材３２を架け渡し、各横つなぎ材５，５の端部にそれぞれ棒状部材３２の端部をクランプ等の連結部材３３により連結するようにしてもよい。
【００６１】
また、上述の実施例では、土留用板材をその上縁が水面下に位置するように設置し、水位変動に対応させるようにした例について説明したが、土留用板材に表裏方向に貫通させた複数の通水孔を設けることにより水位変動に対応させるようにしてもよい。尚、その場合は、濁水拡散防止シートを通水孔に被さる配置に設置する。
【符号の説明】
【００６２】
Ａ  土捨場
Ｂ  水底地盤
Ｃ  排砂管
Ｄ  土砂
１  簡易式土留柵
２  支持用構造体
３  土留用板材
４  縦杭
５  横つなぎ材
６  構造体本体
７  斜杭
８  筋交い
９  根がらみ
１０  押さえ部材
１１  固定具
１２  フック状部材
１３  ボルト
１４  ナット
１５  濁水拡散防止シート
１６  金属性プレート
１７  取付金具
１８  固定用紐
１９  鉄筋
２０  取付用治具
【図１】
0005660498.tif 000002
【図２】
0005660498.tif 000003
【図３】
0005660498.tif 000004
【図４】
0005660498.tif 000005
【図５】
0005660498.tif 000006
【図６】
0005660498.tif 000007
【図７】
0005660498.tif 000008
【図８】
0005660498.tif 000009
【図９】
0005660498.tif 000010
【図１０】
0005660498.tif 000011
【図１１】
0005660498.tif 000012
【図１２】
0005660498.tif 000013
【図１３】
0005660498.tif 000014
【図１４】
0005660498.tif 000015
【図１５】
0005660498.tif 000016
【図１６】
0005660498.tif 000017
【図１７】
0005660498.tif 000018
【図１８】
0005660498.tif 000019
【図１９】
0005660498.tif 000020